(57)【特許請求の範囲】
【請求項１】
縦型ブラインドを操作する操作装置であって、
支持部材から吊り下げられるルーバーを回転操作するための操作棒と、
前記ルーバーの回転領域の外側において、前記操作棒と隣接して複数本の操作部を形成するように前記支持部材から吊り下げられ、前記ルーバーを展開あるいは畳み込み可能に開閉する操作コードと、
前記操作棒に取り付けられ、前記複数本の操作部を、前記操作棒に対して互いに前記縦型ブラインドの幅方向に対して垂直方向に分離して配置するためのセパレータと、
を有し、
前記回転操作棒は、前記ルーバーの回転領域の内側に配置されており、
前記セパレータは、
前記操作棒に取り付けられる基部と、
前記基部の半径方向に突出してルーバーの回転領域の外側まで伸び、前記基部の直径よりも厚みが薄い支持片と、
前記支持片から互いに離間する方向へ伸びる二股片と、
前記二股片の端部に形成され、前記操作部を保持する保持部と、
を有することを特徴とする、縦型ブラインドの操作装置。
【請求項２】
前記セパレータは、前記操作棒に設けられた大径部に取り付けられることを特徴とする請求項１に記載の縦型ブラインドの操作装置。
【請求項３】
前記大径部は、前記操作棒を形成する複数の棒状体を接続するためのジョイント部であることを特徴とする、請求項２に記載の縦型ブラインドの操作装置。
【請求項４】
縦型ブラインドを操作する操作装置であって、
支持部材から吊り下げられるルーバーを回転操作するための操作棒と、
前記ルーバーの回転領域の外側において、前記操作棒と隣接して複数本の操作部を形成するように前記支持部材から吊り下げられ、前記ルーバーを展開あるいは畳み込み可能に開閉する操作コードと、
前記操作棒に取り付けられ、前記複数本の操作部を、前記操作棒に対して互いに前記縦型ブラインドの幅方向に対して垂直方向に分離して配置するためのセパレータと、
を有し、
前記セパレータは、前記操作棒に設けられた大径部を覆い隠すように取り付けられ、
前記大径部は、前記操作棒を形成する複数の棒状体を接続するためのジョイント部であることを特徴とする、縦型ブラインドの操作装置。
【請求項５】
前記セパレータは、前記大径部を覆い隠すように収容する収容部と、前記収容部の上端に形成され前記大径部よりも小径であり前記操作棒を挿通する挿通孔と、を備えることを特徴とする、請求項４に記載の縦型ブラインドの操作装置。
【請求項６】
前記セパレータは、前記操作棒に対して相対回転可能に取り付けられることを特徴とする、請求項１〜５のいずれかに記載の縦型ブラインドの操作装置。
【発明の詳細な説明】
【技術分野】
【０００１】
本発明は、縦型ブラインドの操作装置に関する。
【背景技術】
【０００２】
従来の縦型ブラインドの操作装置としては、実公昭６３−２１６７９号公報（特許文献１）に示されるものがある。これに示されるものは、縦型ブラインドの前後方向において、ルーバーを回転させる回転コードと、ルーバーを展開あるいは畳み込み可能に開閉させる開閉コードとを、ヘッドレールから高さが異なるように無端状に垂下させ、回転コード及び開閉コードの各下部にウエイトを取り付け、二条の縦溝を有する整列ガイドの把持部を一方のウエイトに嵌着し、二条の縦溝に他方のウエイトが取り付けられているコードを挿通させるようになっている。これにより、ブラインドを使用中に各コードの相互間の絡み合いが防止される。
【先行技術文献】
【特許文献】
【０００３】
【特許文献１】実公昭６３−２１６７９号公報
【発明の概要】
【発明が解決しようとする課題】
【０００４】
しかしながら、上記従来の縦型ブラインドの操作装置では、回転コード又は開閉コードがヘッドレールの前後方向に並んで配置されるため、ヘッドレールの一端部は前後方向全体にわたって整列ガイドが配置されることになる。このため、整列ガイドは、ルーバーの回転を阻害しないようにルーバーの回転領域の外側に配置される。よって、ルーバーが閉じたときでもウエイト全体が見えてしまい、意匠性が低下するという問題があった。さらに、縦型ブラインドのウエイトが配置されている領域は、ルーバーで閉じることができないため、遮蔽性が低下するという問題もあった。
【０００５】
本発明は、上記背景技術が有する問題に鑑みてなされたもので、その目的とするところは、縦型ブラインドの操作装置において、操作コードと操作棒との絡みを防止しつつ意匠性及び遮蔽性を向上させた縦型ブラインドの操作装置を提供することにある。
【課題を解決するための手段】
【０００６】
上記課題を解決するために、本発明によれば、縦型ブラインドを操作する操作装置であって、支持部材から吊り下げられるルーバーを回転操作するための操作棒と、前記ルーバーの回転領域の外側において、前記操作棒と隣接して複数本の操作部を形成するように前記支持部材から吊り下げられ、前記ルーバーを展開あるいは畳み込み可能に開閉する操作コードと、前記操作棒に取り付けられ、前記複数本の操作部を、前記操作棒に対して互いに前記縦型ブラインドの幅方向に対して垂直方向に分離して配置するためのセパレータと、を有することを特徴とする、縦型ブラインドの操作装置が提供される。
【０００７】
かかる構成によれば、操作棒に対して複数の操作コードを分離させるとともに、複数の操作コード同士も互いに離間させるセパレータを有し、かつ、ルーバーの回転領域の外側に操作コードが配置されるため、操作コード同士の絡み及び操作棒と操作コードとの絡みを防止しつつ意匠性及び遮蔽性を向上させることができる。さらに、セパレータによって操作棒と操作コードとがそれぞれ分離して配置されるため、操作性が向上する。
【０００８】
また、本発明の応用例として様々なものが考えられる。例えば、前記回転操作棒は、前記ルーバーの回転領域の内側に配置されており、前記セパレータは、前記操作棒に取り付けられる基部と、前記基部の半径方向に突出してルーバーの回転領域の外側まで伸び、前記基部の直径よりも厚みが薄い支持片と、前記支持片から互いに離間する方向へ伸びる二股片と、前記二股片の端部に形成され、前記操作部を保持する保持部と、を有する構成としてもよい。このように、セパレータは、これを操作棒に取り付けるための基部と、操作コードを保持する保持部が形成された二股片とがルーバーの回転領域の外側まで伸び、基部の直径よりも厚みが薄い支持片によって連結されているため、ルーバーが操作棒を覆い隠すまで回転しても、ルーバーは支持片によって二股片との干渉が回避されるため、遮蔽性が向上する。
【０００９】
また、前記セパレータは、前記操作棒に設けられた大径部に取り付けられる構成としてもよい。かかる構成によれば、例えば、セパレータを大径部上に載せるだけで、セパレータの落下が規制されて取り付けられるため、セパレータを操作棒に容易に取り付けることができる。
【００１０】
また、前記大径部は、前記操作棒を形成する複数の棒状体を接続するためのジョイント部であってもよい。操作棒を形成する複数の棒状体を接続するためのジョイント部を覆い隠すようにセパレータを取り付けることで、操作棒の接続部がセパレータによって隠される。よって、操作棒の意匠性の低下を防止することができるとともに、特に操作棒と操作コードとの絡み合いが発生しやすいとされる高さが高い製品への適用が容易となる。
【００１１】
また、前記セパレータは、前記操作棒に対して相対回転可能に取り付けられる構成としてもよい。セパレータを操作棒に対して相対回転可能に設けることで、操作棒を回転操作してもセパレータは回転しないため、操作棒と操作コードとの絡み合いを確実に防止できる。
【発明の効果】
【００１２】
本発明によれば、縦型ブラインドの操作装置において、操作コードと操作棒との絡みを防止しつつ意匠性及び遮蔽性を向上させることが可能である。本発明のその他の効果については、後述する発明を実施するための形態においても説明する。
【図面の簡単な説明】
【００１３】
【図１】操作装置１００が用いられた縦型ブラインド１０の全体構成を示す正面図である。
【図２】操作装置１００が用いられた縦型ブラインド１０の側面図である。
【図３】操作棒１２０の構成を説明するための図であり、（ａ）は、２本の棒状体１２１−１、１２１−２を連結する前の状態を示し、（ｂ）は、２本の棒状体１２１−１、１２１−２を連結した状態を示し、（ｃ）は、操作棒１２０に大径部１２９が形成された状態を示す。
【図４】セパレータ１６０の構成を説明するための図であり、（ａ）は図２のＡ−Ａ断面図であり、（ｂ）はセパレータ１６０の斜視図であり、（ｃ）はセパレータ１６０の縦断面図である。
【図５】操作棒１２０へのセパレータ１６０の取り付け手順を示す図であり、（ａ）は、２本の棒状体１２１−１、１２１−２を連結する前の状態を示し、（ｂ）は、２本の棒状体１２１−１、１２１−２を連結した状態を示し、（ｃ）は、操作棒１２０に大径部１２９が形成された状態を示し、（ｄ）は、大径部１２９にセパレータ１６０を取り付けた状態を示す。
【図６】大径部１２９にセパレータ１６０を取り付ける前の状態を示し、（ａ）は部分断面図であり、（ｂ）は側面図である。
【図７】大径部１２９にセパレータ１６０を取り付けた後の状態を示し、（ａ）は部分断面図であり、（ｂ）は側面図である。
【図８】ルーバー８０の開閉操作を説明するための図である。
【図９】ルーバー８０の回転状態を示す図である。
【発明を実施するための形態】
【００１４】
以下に添付図面を参照しながら、本発明の好適な実施形態について詳細に説明する。なお、本明細書及び図面において、実質的に同一の機能構成を有する構成要素については、同一の符号を付することにより重複説明を省略する。
【００１５】
本実施形態に係る操作装置１００は、縦型ブラインド１０を操作するものである。まず、本実施形態に係る操作装置１００が用いられた縦型ブラインド１０の全体の構成について、図を参照しながら説明する。図１は、操作装置１００が用いられた縦型ブラインド１０の全体構成を示す正面図である。
【００１６】
縦型ブラインド１０は、図１に示したように、図示していない窓枠などに固定されるヘッドレール（支持部材）２０と、ヘッドレール２０の幅方向（長手方向）のほぼ全長にわたって設けられる回転軸４０と、ヘッドレール２０内を幅方向にスライド移動するとともに、回転軸４０に連結され、回転軸４０の回転が伝達される複数のキャリア６０と、各キャリア６０から吊下軸を介してヘッドレール２０の下方に吊り下げられるルーバー８０と、ルーバー８０の回転と開閉を操作する操作装置１００と、を備えて構成される。
【００１７】
（操作装置１００）
操作装置１００は、図１に示したように、ヘッドレール２０から吊り下げられるルーバー８０の回転領域の内側に配置され、ルーバー８０を回転操作可能である操作棒１２０と、ルーバー８０の回転領域の外側において、操作棒１２０と隣接して２つの操作部１４２を形成するようにヘッドレール２０から吊り下げられ、ルーバー８０を展開あるいは畳み込み可能に開閉する操作コード１４０と、操作棒１２０に取り付けられ、複数本の操作部１４２を操作棒１２０に対して互いに縦型ブラインド１０の幅方向に対して垂直方向に分離するためのセパレータ１６０と、を有する。なお、縦型ブラインド１０の幅方向に対して垂直方向とは、縦型ブラインド１０の奥行方向（又は前後方向）である。
【００１８】
なお、ルーバー８０の回転領域とは、ヘッドレール２０から吊り下げられている全てのルーバー８０が吊下軸を軸心として回転するときに必要とする領域である。以下、操作装置１００の各構成要素について、図１〜図５を参照しながら説明する。
【００１９】
（操作棒１２０）
操作棒１２０は、図１に示したように、ヘッドレール２０から吊り下げられるルーバー８０を回転操作するものである。操作棒１２０は、従来はコード状の回転コードとして構成されていたが、その操作性を高めるために棒状としたものである。操作棒１２０は、ルーバー８０の回転領域の内側において、ヘッドレール２０から吊り下げられている。操作棒１２０が吊り下げられる位置は、ヘッドレール２０の左右方向、すなわち幅方向においては、図１に示したように一端部近傍であり、ヘッドレール２０の前後方向、すなわち幅方向に対して垂直方向においては、図２に示したように中央位置である。操作棒１２０がヘッドレール２０から吊り下げられるこの位置は、ルーバー８０の回転領域の内側である。
【００２０】
操作棒１２０は、図１に示したように、上端が回転伝達機構１２２を介して回転軸４０の端部に連結されている。操作棒１２０が回転すると、回転軸４０が回転し、キャリア６０を介してルーバー８０に回転が伝達される。回転伝達機構１２２としては、例えば、はすば歯車、かさ歯車、ウォームギアなどが用いられる。
【００２１】
操作棒１２０の下端には、操作棒１２０を操作するときに使用者が持つ部分であるグリップ１２４が設けられている。グリップ１２４は、操作棒１２０よりも径寸法が大きく、操作棒１２０を操作するときに使用者が持ちやすい大きさになっている。
【００２２】
操作棒１２０は、２本の棒状体１２１−１、１２１−２を上下に配置して連結した構成となっている。このように操作棒１２０を構成する理由は、ヘッドレール２０を取り付ける位置（高さ）に起因する。すなわち、操作棒１２０はヘッドレール２０から吊り下げられているため、ヘッドレール２０が取り付けられる位置が高くなると、使用者が操作棒１２０に手が届くように、操作棒１２０を長くする必要がある。このため、操作棒１２０は、ヘッドレール２０を取り付ける位置の高さに応じた数の棒状体を連結して構成される。
【００２３】
各棒状体１２１−１、１２１−２の連結側端部には、図３（ａ）に示したように、ジョイント部１２６−１、１２６−２が設けられている。上下に配置された２本の棒状体１２１−１、１２１−２のうち、上に配置される棒状体１２１−１には、カバー１２８が嵌め合わされており、カバー１２８は棒状体１２１−１に沿って移動可能である。
【００２４】
２本の棒状体１２１−１、１２１−２は、図３（ｂ）に示したように、互いのジョイント部１２６−１、１２６−２を連結することによって連結される。連結されたジョイント部１２６−１、１２６−２には、図３（ｃ）に示したようにカバー１２８が被せられることで連結の解除が不能とされ、このカバー１２８が被せられる部分が大径部１２９を構成する。大径部１２９は、後述するように、セパレータ１６０が取り付けられる部分である。
【００２５】
なお、本実施形態では、操作棒１２０を２本の棒状体１２１−１、１２１−２を連結して構成されるものとしたが、この例に限定されない。例えば、操作棒１２０は、ヘッドレール２０が取り付けられる位置の高さに応じて、３本以上の棒状体を連結して構成されるものとしてもよく、また、１本の棒状体で構成されるものとしてもよい。３本以上の棒状体を連結して操作棒１２０を構成する場合、１か所の大径部１２９にセパレータ１６０を設けるようにすればよい。また、１本の棒状体で操作棒１２０を構成する場合、グリップ１２４を大径部１２９としてセパレータ１６０を設けるようにしてもよい。
【００２６】
（操作コード１４０）
操作コード１４０は、ルーバー８０を展開あるいは畳み込み可能に開閉するものであり、開閉コードなどと称されることもある。操作コード１４０は、図１に示したように、ルーバー８０の回転領域の外側において、操作棒１２０と隣接して２つの操作部１４２を形成するようにヘッドレール２０から吊り下げられている。操作コード１４０は、ループ状に構成されており、ヘッドレール２０の幅方向ほぼ全長にわたって各キャリア６０を挿通しながら配回されている。操作コード１４０が、ヘッドレール２０の幅方向に移動することによって、各キャリア６０が操作コード１４０の移動に応じてヘッドレール２０の幅方向に移動する。これによって、ルーバー８０が開閉する。
【００２７】
操作コード１４０は、図２に示したように、ヘッドレール２０の幅方向の一端部の前後方向２か所からヘッドレール２０外に導出されて、操作コード１４０の移動を操作する操作部１４２を構成している。操作部１４２は、ヘッドレール２０の前後方向の２か所に構成されており、前後２か所の操作部１４２のうちの一方を操作することによって、ルーバー８０が展開され、他方を操作することによってルーバー８０が畳み込まれる。
【００２８】
操作部１４２の下端には、図２に示したように、前後の操作部１４２にまたがってウエイト１４４が吊り下げられている。操作コード１４０は、ウエイト１４４によって緊張状態が保持されている。
【００２９】
（セパレータ１６０）
セパレータ１６０は、図１に示したように、２本の操作部１４２を操作棒１２０を中心として互いに縦型ブラインド１０の前後方向に分離するためのものである。セパレータ１６０は、操作棒１２０に取り付けられ、操作棒１２０と２本の操作部１４２を分離するとともに、２本の操作部１４２同士を縦型ブラインド１０の前後方向に分離するように構成されている。
【００３０】
２本の操作部１４２を縦型ブラインド１０の前後方向に分離するのは、前述のように、２本の操作部１４２がヘッドレール２０の前後方向の２か所に構成されていることに加え、セパレータ１６０がヘッドレール２０の幅方向の一端部から側方に飛び出し、縦型ブランド１０全体の幅が大きくなってしまうことを防止するためである。以下、図４を参照しながら、セパレータ１６０の構成を説明する。
【００３１】
セパレータ１６０は、図４（ａ）に示したように、操作棒１２０に取り付けられる基部１６２と、基部１６２の半径方向に突出し、基部１６２の直径よりも厚みが薄い支持片１６４と、支持片１６４から互いに離間する方向へ伸びる二股片１６６と、二股片１６６の端部に形成され、操作部１４２を保持する保持部１６８と、を有する構成である。
【００３２】
基部１６２は、図４（ｂ）に示したように、略円筒状の形状をしており、内部は前述の大径部１２９が相対回転自在に収容される収容部１６２ａとなっている。また、基部１６２の上端部１６２ｂは、図４（ｃ）に示したように、中心方向に張り出しており、収容部１６２ａよりも小径の挿通孔１６２ｃを形成している。挿通孔１６２ｃは、操作棒１２０の棒状体１２１−１は挿通するが大径部１２９は挿通しない大きさである。
【００３３】
支持片１６４は、図４（ｂ）に示したように、基部１６２の外周から径方向に伸びており、ルーバー８０の回転領域の外側まで伸びている。また、支持片１６４は、基部１６２の直径よりも厚みが薄く構成されている。
【００３４】
二股片１６６は、図４（ｂ）に示したように、支持片１６４から互いに離間する方向へ伸びており、二股片１６６と支持片１６４とのなす角度は約９０度である。基部１６２が操作棒１２０に取り付けられた際に、二股片１６６が伸びる方向は、縦型ブラインド１０の奥行方向、すなわち、縦型ブラインド１０の幅方向に対して垂直方向である。
【００３５】
保持部１６８は、図４（ｂ）に示したように、二股片１６６の各端部に形成されている。また、保持部１６８は略円筒状の形状に形成されており、内周の直径は操作部１４２の太さよりも若干大きく、操作部１４２の移動を妨げない大きさに構成されている。
【００３６】
保持部１６８には、円周方向において二股片１６６の外側の面と隣り合う位置に上下方向に貫通するスリット１６８ａが設けられている。スリット１６８ａの幅は、操作部１４２の太さよりも若干小さいが、操作部１４２が通過可能な大きさに構成されている。このような構成により、スリット１６８ａは、操作部１４２を保持部１６８内に通過させるが、保持部１６８から外れることを防止する。また、スリット１６８ａを保持部１６８の円周方向において二股片１６６の外側の面（基部と対向しない側の面）と隣り合う位置に設けたことにより、スリット１６８ａを介して保持部１６８に操作部１４２を挿入する作業を容易に行うことができる。
【００３７】
なお、本実施形態では、スリット１６８ａの位置を、保持部１６８の円周方向において二股片１６６の外側の面と隣り合う位置としたが、本発明はこれに限定されない。例えば、スリット１６８ａの位置を保持部１６８の円周方向において二股片１６６の内側の面、すなわち、基部１６２と対向する面と隣り合う位置としてもよい。保持部１６８をこのような構成にすると、スリット１６８ａが外側から見えなくなり、セパレータ１６０の意匠性がさらに向上する。
【００３８】
（操作棒１２０にセパレータ１６０を取り付ける手順）
次に、図５を参照しながら、２本の棒状体１２１−１、１２１−２によって操作棒１２０を構成し、操作棒１２０にセパレータ１６０を取り付ける手順について説明する。
【００３９】
まず、図５（ａ）に示したように、互いのジョイント部１２６−１、１２６−２が対向するように、上下に２本の棒状体１２１−１、１２１−２を配置する。上に配置される棒状体１２１−１には、カバー１２８と、カバー１２８の上方にセパレータ１６０とが、あらかじめ棒状体１２１−１に沿って移動可能に嵌め合わされている。
【００４０】
次に、図５（ｂ）に示したように、上下に配置された２本の棒状体１２１−１、１２１−２のジョイント部１２６−１、１２６−２を連結する。
【００４１】
次に、図５（ｃ）、図６（ａ）及び図６（ｂ）に示したように、連結されたジョイント部１２６−１、１２６−２に、カバー１２８を被せる。この部分が、セパレータ１６０が取り付けられる大径部１２９となる。セパレータ１６０の保持部１６８には、操作部１４２が保持されているが、セパレータ１６０の保持部１６８に操作部１４２を挿入する作業は、セパレータ１６０を大径部１２９に取り付けた後でもよい。
【００４２】
最後に、図５（ｄ）、図７（ａ）及び図７（ｂ）に示したように、カバー１２８の上からセパレータ１６０が被せられる。これにより、図７（ａ）に示したように、セパレータ１６０は、収容部１６２ａに操作棒１２０の大径部１２９が収容され、上端部１６２ｂが大径部１２９の上面に引っかかる。このようにして、基部１６２が大径部１２９に相対回転可能に嵌め合わされるので、操作棒１２０を操作してもセパレータ１６０が回転しない。
【００４３】
（縦型ブラインド１０のルーバー８０の回転動作）
次に、縦型ブラインド１０のルーバー８０の回転動作を、図１、図８及び図９を参照しながら説明する。図８に示したように、ルーバー８０の面がヘッドレール２０の幅方向に対して直交する方向にあるときには、操作棒１２０と操作部１４２が縦型ブラインド１０の正面から見えるようになっている。
【００４４】
次に、操作棒１２０を回転させると、操作棒１２０から回転軸４０に回転が伝達し、キャリア６０を介してルーバー８０が、図９中仮想線で示した位置から図９中矢印Ａの方向に回転する。ルーバー８０の回転が最大になると、図９中実線で示したように、ルーバー８０がセパレータ１６０の基部１６２に当接する。
【００４５】
セパレータ１６０の二股片１６６は、ルーバー８０の回転領域の外側にあるため、ルーバー８０は二股片１６６及び保持部１６８に当接しない。また、セパレータ１６０の支持片１６４は、基部１６２の直径よりも厚みが薄いため、支持片１６４がルーバー８０の回転の妨げにはならず、前述のように、ルーバー８０は基部１６２に当接するまで回転する。
【００４６】
このように、ルーバー８０がセパレータ１６０の基部１６２に当接するまで回転すると、図１に示したように、ルーバー８０が閉じた状態になる。このとき、操作棒１２０はルーバー８０によって隠れ、操作部１４２のみが、ヘッドレール２０の端部から見える状態になる。よって、セパレータ１６０を用いた縦型ブラインド１０の遮光性及び意匠性が向上する。
【００４７】
操作棒１２０を回転させたときに、セパレータ１６０は、操作棒１２０と相対回転するため、保持部１６８は回転しない。よって、保持部１６８に保持されている操作部１４２が操作棒１２０に巻き付くことがない。これにより、操作棒１２０及び操作部１４２の操作性が向上する。
【００４８】
（本実施形態の効果）
以上説明したように、本実施形態によれば、セパレータ１６０は操作棒１２０に対して２本の操作部１４２が互いに離間するよう分離させるため、操作部１４２同士の絡み及び操作部１４２と操作棒１２０との絡みが防止される。さらに、操作棒１２０及び２本の操作部１４２がそれぞれ分離して配置されているため、操作時に互いが干渉することがない。このため、操作棒１２０及び操作部１４２の操作性が向上する。
【００４９】
また、セパレータ１６０は、操作棒１２０に取り付けるための基部１６２と、基部１６２の半径方向に突出してルーバー８０の回転領域の外側まで伸び、基部１６２の直径よりも厚みが薄い支持片１６４と、支持片１６４から互いに離間する方向へ伸びる二股片１６６と、を有する構成であるため、ルーバー８０を全閉まで回転させたときに、ルーバー８０が操作棒１２０を覆い隠すまで回転しても、ルーバー８０は支持片１６４によって二股片１６６との干渉が回避されるため、遮蔽性が向上する。
【００５０】
さらに、セパレータ１６０は、操作棒１２０に設けられた大径部１２９に取り付けられる構成であるため、例えば、セパレータ１６０を大径部１２９上に載せるだけで、セパレータ１６０の落下を規制しながら操作棒１２０に容易に取り付けることができる。
【００５１】
また、操作棒１２０を形成する複数の棒状体１２１−１、１２１−２を接続するためのジョイント部１２６−１、１２６−２を大径部１２９とし、ジョイント部１２６−１、１２６−２を覆い隠すようにセパレータ１６０を取り付けることで、操作棒１２０の接続部がセパレータ１６０によって隠される。よって、操作棒１２０の意匠性の低下を防止することができる。
【００５２】
さらに、大型の縦型ブラインド１０や高所に取り付けられる縦型ブラインド１０などは、ヘッドレール２０が取り付けられる位置が高いため、ヘッドレール２０から吊り下げられる操作部１２０が長くなる。このため、ヘッドレール２０が取り付けられる位置が高い縦型ブラインド１０は、特に操作棒１２０と操作部１４２との絡み合いが発生しやすい。しかし、操作棒１２０の接続部にセパレータ１６０を取り付けることができるため、ヘッドレール２０が取り付けられる位置が高い縦型ブラインド１０へのセパレータ１６０の適用が容易となる。よって、大型の縦型ブラインド１０や高所に取り付けられる縦型ブラインド１０の操作棒１２０と操作部１４２との絡み合いが防止される。
【００５３】
また、セパレータ１６０を操作棒１２０に対して相対回転可能に設けることで、操作棒１２０を回転操作してもセパレータ１６０は回転しない。このため、操作棒１２０と操作部１４２との絡み合いを確実に防止できる。
【００５４】
以上、添付図面を参照しながら本発明の好適な実施形態について説明したが、本発明はかかる例に限定されないことは言うまでもない。当業者であれば、特許請求の範囲に記載された範疇内において、各種の変更例又は修正例に想到し得ることは明らかであり、それらについても当然に本発明の技術的範囲に属するものと了解される。
【００５５】
例えば、上記実施形態では、セパレータ１６０を、操作棒１２０に取り付けられる基部１６２と、基部１６２の半径方向に突出し、基部１６２の直径よりも厚みが薄い支持片１６４と、支持片１６４から互いに離間する方向へ伸びる二股片１６６と、二股片１６６の端部に形成され、操作部１４２を保持する保持部１６８と、を有する構成としたが、本発明はこの例に限定されない。保持部１６８がルーバー８０の回転領域の外側に配置される構成であれば、セパレータ１６０は適宜形状とすることができる。
【００５６】
また、上記実施形態では、セパレータ１６０は、操作棒１２０に設けられた大径部１２９に取り付けられる構成としたが、本発明はこの例に限定されない。例えば、セパレータ１６０は、操作棒１２０のグリップ１２４の上に載置されるようにしてもよく、また、大径部１２９ではなく、操作棒１２０自体に取り付けられるようにしてもよい。
【００５７】
また、上記実施形態では、大径部１２９は、操作棒１２０を形成する複数の棒状体１２１−１、１２１−２を接続するためのジョイント部１２６−１、１２６−２としたが、本発明はこの例に限定されない。例えば、操作棒１２０のグリップ１２４を大径部１２９としてもよい。
【００５８】
また、上記実施形態では、セパレータ１６０は、操作棒１２０に対して相対回転可能に取り付けられる構成としたが、本発明はこの例に限定されない。例えば、セパレータ１６０の基部１６２は、操作棒１２０と一体に回転するように取り付けられ、操作部１４２を保持する保持部１６８が基部１６２に対して相対回転する構成としてもよい。
【００５９】
なお、上記実施形態では、操作部１４２の数を２本としたが、本発明はこの例に限定されず、３本以上であってもよい。
【００６０】
さらに、上記実施形態では、保持部１６８の数を操作部１４２の数に合わせたが、本発明はこの例に限定されず、１つの保持部１６８で複数の操作部１４２を保持してもよい。
【符号の説明】
【００６１】
１０  縦型ブラインド
２０  ヘッドレール
４０  回転軸
６０  キャリア
８０  ルーバー
１００  操作装置
１２０  操作棒
１２１−１、１２１−２  棒状体
１２２  回転伝達機構
１２４  グリップ
１２６−１、１２６−２  ジョイント部
１２８  カバー
１２９  大径部
１４０  操作コード
１４２  操作部
１４４  ウエイト
１６０  セパレータ
１６２  基部
１６２ａ  収容部
１６２ｂ  上端部
１６２ｃ  挿通孔
１６４  支持片
１６６  二股片
１６８  保持部
１６８ａ  スリット
【図１】
0006548547.tif 000002
【図２】
0006548547.tif 000003
【図３】
0006548547.tif 000004
【図４】
0006548547.tif 000005
【図５】
0006548547.tif 000006
【図６】
0006548547.tif 000007
【図７】
0006548547.tif 000008
【図８】
0006548547.tif 000009
【図９】
0006548547.tif 000010